(57)【要約】【課題】  ＣＯ２ヒートポンプを用いたヒートポンプ給湯手段と貯湯タンクを備えた給湯システムを利用して、循環給湯負荷に対して循環的に給湯可能で、ヒートポンプ給湯手段の運転制御が容易な循環給湯システムを提供する。【解決手段】  二酸化炭素を冷媒とするヒートポンプ回路の凝縮器からの放熱と熱交換して水を加熱して給湯するヒートポンプ給湯手段２と、ヒートポンプ給湯手段２から給湯される温水を貯湯する貯湯タンク３と、貯湯タンク３から循環的に給湯される１次側の温水と熱交換させることで、循環給湯負荷３０から循環的に供給される２次側の温水を加熱する熱交換器４と、を備える。【選択図】        図１
2006349227.tif 000002
【特許請求の範囲】
【請求項１】
二酸化炭素を冷媒とするヒートポンプ回路の凝縮器からの放熱と熱交換して水を加熱して給湯するヒートポンプ給湯手段と、
前記ヒートポンプ給湯手段から給湯される温水を貯湯する貯湯タンクと、
前記貯湯タンクから循環的に給湯される１次側の温水と熱交換させることで、循環給湯負荷から循環的に供給される２次側の温水を加熱する熱交換器と、を備えてなることを特徴とする循環給湯システム。
【請求項２】
前記貯湯タンクが、複数のタンクを直列に配列し、その内の連続する２つのタンクの前段の底部と後段の上部を相互に連通させて構成され、
前記貯湯タンクの最後列のタンクの底部が、前記ヒートポンプ給湯手段の入水口に連通し、前記貯湯タンクの最前列のタンクの上部が、前記ヒートポンプ給湯手段の出水口に連通していることを特徴とする請求項１に記載の循環給湯システム。
【請求項３】
前記熱交換器に流入する前記２次側の温水温度を検出する２次側温度センサを、前記２次側の温水が循環する２次側循環路上の前記循環給湯負荷より下流側で前記熱交換器より上流側に備え、
前記２次側温度センサの検出温度に基づいてオンオフが制御される２次側循環ポンプを、前記２次側循環路上に備え、
前記２次側循環ポンプに連動してオンオフが制御される１次側循環ポンプを、前記１次側の温水が前記貯湯タンクと前記熱交換器の間で循環する１次側循環路上に備えることを特徴とする請求項１または２に記載の循環給湯システム。
【請求項４】
前記熱交換器から流出する前記１次側の温水温度を検出する１次側温度センサを、前記１次側の温水が前記貯湯タンクと前記熱交換器の間で循環する１次側循環路上の前記熱交換器より下流側で前記貯湯タンクより上流側に備え、
前記１次側温度センサの検出温度に基づいて流量を調整可能な流量調整弁を、前記１次側循環路上の前記熱交換器より下流側で前記１次側温度センサの設置個所より上流側に備えることを特徴とする請求項１〜３の何れか１項に記載の循環給湯システム。
【請求項５】
前記１次側温度センサの検出温度が、所定の一定温度または一定温度範囲内となるように前記流量調整弁によって流量調整されることを特徴とする請求項４に記載の循環給湯システム。
【請求項６】
前記１次側温度センサの検出温度が所定の上限温度以上となった場合に、前記１次側循環ポンプが停止するように制御されることを特徴とする請求項４または５に記載の給湯システム。
【発明の詳細な説明】
【技術分野】
【０００１】
本発明は、ＣＯ２ヒートポンプ回路の凝縮器からの放熱と熱交換して加熱された温水を貯湯タンクに貯湯する給湯システムを利用した循環給湯負荷に対して循環的に給湯可能に構成されたヒートポンプ式の循環給湯システムに関する。
【背景技術】
【０００２】
ヒートポンプ式の給湯システムは、夜間の安価な電力を使用して、夜間の給湯使用量の少ない、低給湯負荷状態となる時間帯に、貯湯タンクに温水を貯めて、翌日の昼間の給湯負荷、例えば風呂やシャワー等の給湯に対して使用するシステムである。当該ヒートポンプ式の給湯システムの概略の構成は、ヒートポンプ回路の凝縮器からの放熱と熱交換して水を加熱して給湯するヒートポンプ給湯手段と、加熱された温水を貯湯する貯湯タンクを備えた構成となっている。ここで、ヒートポンプ給湯手段を、ヒートポンプ回路の冷媒が二酸化炭素であるＣＯ２ヒートポンプで構成すると、ヒートポンプ回路の熱サイクルにおいてＣＯ２の超臨界状態を利用することで従来のフロン系冷媒を使用したヒートポンプ給湯手段に比べて温水を高温（約９０℃）に加熱でき、その分貯湯タンクの貯湯容量を小さくでき、給湯システムを小型化できるという利点、更には、フロン系冷媒と比較して地球温暖化係数が大幅に小さい（１７００分の１）、自然冷媒である二酸化炭素を使用することで、地球温暖化の抑制に貢献できるという利点がある。
【０００３】
ところで、ＣＯ２ヒートポンプを用いたヒートポンプ給湯手段は、高効率運転（定格での成績係数が年間平均３．０以上）及び高温出湯（約９０℃）が可能であるが、ヒートポンプ回路の熱サイクル及び圧縮機の制約から５０℃以上の高温での給湯循環運転が困難である。また、ヒートポンプ給湯手段を循環給湯負荷に対する直接の熱源とする場合、ヒートポンプ給湯手段の動作が、循環給湯負荷側の加熱対象の温水の流量変化や、単時間でのオンオフ要求に追従困難であるという問題があった。従って、ＣＯ２ヒートポンプを用いたヒートポンプ給湯手段は、例えば、浴槽中の温水の昇温（追い焚き）等の循環給湯用途には不適であった。
【０００４】
そこで、上記問題の一つの解決策として、図２に示すように、貯湯タンク５０内に熱交換器５１を設け、浴槽５２の温水を貯湯タンク５０内の高温の温水で循環的に加熱する構成が考えられる。例えば、下記の特許文献１等に同様のシステム構成が開示されている。
【０００５】
【特許文献１】特開２００３−１３０４５９号公報
【発明の開示】
【発明が解決しようとする課題】
【０００６】
しかしながら、循環給湯負荷側の温水を貯湯タンク内の高温の温水と熱交換させる場合、貯湯タンク内の熱交換器付近の温水が当該熱交換により冷却されることと、貯湯タンク内での対流により、貯湯タンク内に温度分布が生じ、例えば、貯湯タンク内の温水温度の検出が困難となり、ヒートポンプ給湯手段の運転制御を困難にするという問題があった。
【０００７】
本発明は上記の問題点に鑑みてなされたものであり、その目的は、ＣＯ２ヒートポンプを用いたヒートポンプ給湯手段と貯湯タンクを備えた給湯システムを利用して、循環給湯負荷に対して循環的に給湯可能で、ヒートポンプ給湯手段の運転制御が容易な循環給湯システムを提供する点にある。
【課題を解決するための手段】
【０００８】
上記目的を達成するための本発明に係る循環給湯システムは、二酸化炭素を冷媒とするヒートポンプ回路の凝縮器からの放熱と熱交換して水を加熱して給湯するヒートポンプ給湯手段と、前記ヒートポンプ給湯手段から給湯される温水を貯湯する貯湯タンクと、前記貯湯タンクから循環的に給湯される１次側の温水と熱交換させることで、循環給湯負荷から循環的に供給される２次側の温水を加熱する熱交換器と、を備えてなることを第１の特徴とする。
【０００９】
更に、上記特徴の本発明に係る循環給湯システムは、前記貯湯タンクが、複数のタンクを直列に配列し、その内の連続する２つのタンクの前段の底部と後段の上部を相互に連通させて構成され、前記貯湯タンクの最後列のタンクの底部が、前記ヒートポンプ給湯手段の入水口に連通し、前記貯湯タンクの最前列のタンクの上部が、前記ヒートポンプ給湯手段の出水口に連通していることを第２の特徴とする。
【００１０】
更に、上記何れか特徴の本発明に係る循環給湯システムは、前記熱交換器に流入する前記２次側の温水温度を検出する２次側温度センサを、前記２次側の温水が循環する２次側循環路上の前記循環給湯負荷より下流側で前記熱交換器より上流側に備え、前記２次側温度センサの検出温度に基づいてオンオフが制御される２次側循環ポンプを、前記２次側循環路上に備え、前記２次側循環ポンプに連動してオンオフが制御される１次側循環ポンプを、前記１次側の温水が前記貯湯タンクと前記熱交換器の間で循環する１次側循環路上に備えることを第３の特徴とする。
【００１１】
更に、上記何れかの特徴の本発明に係る循環給湯システムは、前記熱交換器から流出する前記１次側の温水温度を検出する１次側温度センサを、前記１次側の温水が前記貯湯タンクと前記熱交換器の間で循環する１次側循環路上の前記熱交換器より下流側で前記貯湯タンクより上流側に備え、前記１次側温度センサの検出温度に基づいて流量を調整可能な流量調整弁を、前記１次側循環路上の前記熱交換器より下流側で前記１次側温度センサの設置個所より上流側に備えることを第４の特徴とする。
【００１２】
更に、上記第４の特徴の本発明に係る循環給湯システムは、前記１次側温度センサの検出温度が、所定の一定温度または一定温度範囲内となるように前記流量調整弁によって流量調整されることを第５の特徴とする。
【００１３】
更に、上記第４または第５の特徴の本発明に係る循環給湯システムは、前記１次側温度センサの検出温度が所定の上限温度以上となった場合に、前記１次側循環ポンプが停止するように制御されることを第６の特徴とする。
【発明の効果】
【００１４】
上記各特徴の循環給湯システムによれば、貯湯タンクの外部に設けた熱交換器によって、貯湯タンクに貯湯された高温の温水を用いて加熱した温水を、循環給湯負荷に対して循環的に供給することができる。ここで、熱交換器を貯湯タンクの内部ではなく外部に設けたことにより、貯湯タンク内部の温水が直接冷却されないため、不安定な温度分布の発生する程度が緩和され、ヒートポンプ給湯手段の運転制御に対する影響を緩和できる。また、貯湯タンク内部に熱交換器を設ける必要がないため、従来の給湯専用システムで使用している貯湯タンクを利用でき、更に、利用できる貯湯タンクの選択自由度が広くなる。この結果、ＣＯ２ヒートポンプを用いたヒートポンプ給湯手段と貯湯タンクを備えた給湯システムを利用して、循環給湯負荷に対して循環的に給湯可能で、ヒートポンプ給湯手段の運転制御が容易な循環給湯システムを簡易に提供できるようになる。
【００１５】
特に、上記第２の特徴の循環給湯システムによれば、更に、１つの大きなタンク内での対流による温度変化によって温度センサが誤動作するのを、複数のタンクに分割して対流を抑制することで解消でき、複数のタンクの内の温度を個別に正確に検出できるようになり、各タンク内の貯湯状態を正確に把握できるため、ヒートポンプ給湯手段の運転制御が容易となる。
【００１６】
特に、上記第３の特徴の循環給湯システムによれば、２次側温度センサの検出温度に基づいて熱交換器による１次側の温水から２次側の温水への熱交換が制御されるため、２次側の温水温度が所定温度になった場合に、自動的に１次側の温水から２次側の温水への熱交換開始でき、２次側の温水の加熱温度を一定温度に維持できる。
【００１７】
特に、上記第４の特徴の循環給湯システムによれば、１次側温度センサの検出温度に基づいて流量調整弁によって１次側循環路の流量が調整可能となるため、２次側の温水を加熱する加熱能力を調整でき、結果として、熱交換器から流出する１次側の温水温度を制御可能となり、熱交換器で冷却された１次側の温水をヒートポンプ給湯手段で加熱する場合の入水温度を制御可能となることから、ヒートポンプ給湯手段の運転制御が容易となる。
【００１８】
特に、上記第５の特徴の循環給湯システムによれば、熱交換器で冷却された１次側の温水をヒートポンプ給湯手段で加熱する場合の入水温度を所定の一定温度または一定温度範囲内に制御可能となることから、ヒートポンプ給湯手段の運転制御が一層容易となる。
【００１９】
特に、上記第６の特徴の循環給湯システムによれば、熱交換器で冷却された１次側の温水をヒートポンプ給湯手段で加熱する場合の入水温度が所定の上限温度以上とならないように、２次側の温水の加熱動作を制御する安全装置として機能する。従って、熱交換器で冷却された１次側の温水をヒートポンプ給湯手段で十分に再加熱できない条件下では、循環給湯負荷に対する循環給湯を行わないことで、継続的な循環給湯が可能となる。また、本特徴により、例えば、２次側循環路に温度センサを設けずに、２次側の温水が連続的に循環されている場合であっても、２次側の温水温度が高い場合には、２次側の温水の加熱動作を停止する制御も可能となる。
【発明を実施するための最良の形態】
【００２０】
以下、本発明に係る循環給湯システム（以下、適宜「本発明システム」と略称する）の実施形態を図面に基づいて説明する。
【００２１】
図１は、本発明システムの概略のシステム構成図である。尚、図中の破線は、各種制御用の信号線を示す。図１に示すように、本発明システム１は、ヒートポンプ給湯手段２、貯湯タンク３、熱交換器４、１次側循環ポンプ５、２次側循環ポンプ６、１次側温度センサ７、２次側温度センサ８、及び、流量調整弁９を備えて構成される。更に、ヒートポンプ給湯手段２と貯湯タンク３と熱交換器４と循環給湯負荷３０の相互間が複数の管路２０〜２５で接続されている。尚、本実施形態では、循環給湯負荷３０として浴槽内の温水の昇温（追い焚き）を想定する。
【００２２】
具体的には、ヒートポンプ給湯手段２の出水口１１と貯湯タンク３の上部入出水口１３間が管路２０で接続され、ヒートポンプ給湯手段２の入水口１２と貯湯タンク３の下部入出水口１４間が管路２１で接続されている。貯湯タンク３の上部入出水口１３と熱交換器４の１次側入水口１５が管路２２で接続され、貯湯タンク３の下部入出水口１４と熱交換器４の１次側出水口１６が管路２３で接続され、貯湯タンク３と管路２２と熱交換器４の１次側と管路２３により、貯湯タンク３と熱交換器４との間の１次側循環路が形成される。管路２２上に１次側循環ポンプ５が介装され、管路２３上に流量調整弁９が介装され、更に、管路２３上の流量調整弁９より下流側（貯湯タンク３側）に１次側温度センサ７が設置されている。熱交換器４の２次側出水口１７と循環給湯負荷である浴槽３０の側壁上部に設けられた入水口３１間が管路２４（給湯往路）で接続され、熱交換器４の２次側入水口１８と浴槽３０の底部（または、側壁下部）に設けられた出水口３２間が管路２５（給湯復路）で接続され、浴槽３０と管路２５と熱交換器４の２次側と管路２４により、熱交換器４と浴槽３０との間の２次側循環路が形成される。管路２５上に２次側循環ポンプ６が介装され、管路２５上の２次側循環ポンプ６より上流側（浴槽３０側）に２次側温度センサ８が設置されている。更に、管路２３の１次側温度センサ７より下流側に、膨張タンク３４が設置されるとともに、補給水（上水道等）３３から初期補給用の給水を受けるための管路２６が接続している。尚、図示していないが、各管路２０〜２６には、夫々、開閉弁（２方弁）、逆止弁、減圧弁、定流量弁、安全弁、自動空気抜き弁等の内、適宜必要なものが介装されている。また、ヒートポンプ給湯手段２の入水口１２の内側にも、図示しないが、開閉弁や循環ポンプが設けられている。
【００２３】
ヒートポンプ給湯手段２は、ヒートポンプ回路の冷媒としてＣＯ２を採用したＣＯ２ヒートポンプで構成され、入水口１２から給水された水をヒートポンプ回路の凝縮器からの放熱と熱交換して加熱して、出水口１１から管路２０を介して貯湯タンク３または給湯負荷４０に対して給湯を行う。ヒートポンプ回路の圧縮機は３相誘導電動機で構成され、商用電力（３相２００Ｖ）を電源として作動する。本実施形態では、例えば、圧縮機の定格出力が８．４ｋＷ、加熱能力が２１〜２６ｋＷ程度のものを想定する。
【００２４】
貯湯タンク３は、ヒートポンプ給湯手段２から給湯される温水を貯湯して、管路２０を介して給湯負荷４０に対して給湯を行う。本実施形態では、貯湯タンク３は、６台のタンク３ａ〜３ｆを直列に配列し、その内の連続する２つのタンクの前段の底部と後段の上部を相互に連通させて構成される。各タンク容量として５００Ｌ（リットル）を想定すると、貯湯タンク３の総容量は３０００Ｌとなる。貯湯タンク３の各タンク３ａ〜３ｆには内部の水温を計測するサーミスタ等の温度センサ１０ａ〜１０ｆが各別に設けられている。尚、最後列以外の５つのタンク３ａ〜３ｅには、温度センサ１０ａ〜１０ｅが夫々、タンク内の上下方向中間位置に設置され、最後列のタンク３ｆには、温度センサ１０ｆがタンク内の底部に設けられている。温度センサ１０ａ〜１０ｅの検出温度は、ヒートポンプ給湯手段２の運転制御に用いられる。貯湯タンク３を６台のタンク３ａ〜３ｆに分割して構成することで、各タンク３ａ〜３ｆ内での対流が抑制され、個々のタンク別の貯湯温度を正確に検出でき、ヒートポンプ給湯手段２の運転制御が容易になる。
【００２５】
尚、本実施形態では、循環給湯負荷である浴槽３０の容量として５ｍ３（５０００Ｌ）を想定しており、貯湯タンク３の総容量は、貯湯温度及び浴槽３０の容量との関係で、適正値を選択すればよい。
【００２６】
熱交換器４は、１次側入水口１５から送入した高温（例えば、約７０℃）の１次側の温水との熱交換により、２次側入水口１７から送入した低温（例えば、約４０℃）の２次側の温水を加熱するもので、１次側入水口１５から送入した１次側の温水は、２次側の温水との熱交換により、例えば、約４５℃に冷却され１次側出水口１６から送出され、２次側入水口１５から送入した２次側の温水は１次側の温水との熱交換により、例えば、約４２℃に加熱され２次側出水口１７から送出される。熱交換器４の構造は、一般的な液体間の熱交換に適した構造であればよい。
【００２７】
次に、本発明システム１の運転制御条件の一例について説明する。
【００２８】
先ず、循環給湯負荷の運転が行われない夜間の時間帯において、ヒートポンプ給湯手段２を作動して給湯を開始して、高温の温水を貯湯タンク３へ貯湯しておく。貯湯タンク３の貯湯状態は、温度センサ１０ａ〜１０ｆの出力による各タンク３ａ〜３ｆの水温により判定する。貯湯タンク３の全てのタンクがヒートポンプ給湯手段２から給湯された温水で充填されると、ヒートポンプ給湯手段２の運転が停止する。尚、初期状態において、貯湯タンク３が空の状態の場合は、ヒートポンプ給湯手段２は補給水３３からの給水を加熱して貯湯タンク３へ貯湯するか、ヒートポンプ給湯手段２の作動前に貯湯タンク３に補給水３３からの給水を充填する。
【００２９】
次に、浴槽３０へ別の給湯手段（図示せず）により湯張りされた後、浴槽３０の底部の出水口３２近傍の温水温度が、所定の開始温度（例えば、４０℃）に低下すると、循環給湯負荷の運転が自動的に開始される。具体的には、２次側温度センサ８の検出温度が４０℃になると、２次側循環ポンプ６が運転を開始し、浴槽３０内の温水が、浴槽３０→管路２５→熱交換器４の２次側→管路２４→浴槽３０からなる２次側循環路を循環する。
【００３０】
引き続き、２次側循環ポンプ６の運転開始に追従して、１次側循環ポンプ５が運転を開始すると、貯湯タンク３に貯湯された高温（例えば、７０℃）の温水が、最前列のタンク３ａ側の上部入出水口１３から給湯され、貯湯タンク３→管路２２→熱交換器４の１次側→管路２３→貯湯タンク３からなる１次側循環路を経由して、最後列のタンク３ｆの下部入出水口１４へと循環する。ここで、７０℃の１次側温水が熱交換器４の１次側を通過する際に、４０℃の２次側温水を、例えば、４２℃に加熱し、自らは冷却される。ここで、冷却後の１次側温水の温度は、熱交換器４での１次側温水の放熱量に依存し、放熱量は１次側温水の流量に依存するため、熱交換器４の１次側出水口１６から送出された１次側温水温度を１次側温度センサ７で検出して、当該検出温度が４５℃となるように、流量調整弁９の開度を調整する。
【００３１】
貯湯タンク３の各タンク３ａ〜３ｆは直列に接続されており、最前列のタンク３ａ側の上部入出水口１３から送出した温水は、熱交換器４の１次側で冷却された後、後段のタンクから順次循環して送入されるため、循環給湯負荷３０への循環給湯が進行するにつれて、最後列のタンク３ｆ（下部入出水口１４側）から順番に前方に向けてタンク内の水温が低下していく。従って、各タンク３ａ〜３ｆの温度センサ１０ａ〜１０ｆの検出温度により、貯湯タンク３の貯湯量（温水の残量）が分かる。
【００３２】
２次側循環ポンプ６が運転を開始し、浴槽３０内の温水が２次側循環路の循環を繰り返していくと、浴槽３０内の温水が徐々に上昇し、浴槽３０の底部の出水口３２近傍の温水温度が、所定の停止温度（例えば、４２℃）に上昇すると、２次側温度センサ８の検出温度が４２℃になり、２次側循環ポンプ６が運転を停止し、これに追従して、１次側循環ポンプ５が運転を停止する。以降、２次側温度センサ８の検出温度に応じて、本発明システム１の給湯循環運転の開始及び停止を繰り返す。
【００３３】
貯湯タンク３の貯湯量を使い切るか、或いは、残量が所定量以下になると、ヒートポンプ給湯手段２を作動して給湯を開始して、高温の温水を貯湯タンク３へ貯湯する。この時、ヒートポンプ給湯手段２への入水温度が５０℃以下であることが好ましいため、給湯循環運転中に貯湯タンク３に戻される温水温度は５０℃以下に制御されるのが好ましい。このため、本実施形態では、上述のように、１次側温度センサ７と流量調整弁９により、熱交換器４の１次側を通過して冷却された１次側温水温度を４５℃の一定温度（或いは、若干の変動を許容した一定温度範囲内）に維持することで、ヒートポンプ給湯手段２への入水温度を５０℃以下とすることができる。更に、ヒートポンプ給湯手段２の入水温度５０℃以下を担保する安全手段として、給湯循環運転中に１次側温度センサ７の検出温度が５０℃となった場合に、２次側循環ポンプ６の運転状態に関係なく、１次側循環ポンプ５の運転を強制的に停止するようにするのも好ましい。
【００３４】
次に、本発明システムの別実施形態について説明する。
【００３５】
〈１〉上記実施形態において、貯湯タンク３として６台のタンク３ａ〜３ｆを直列に配列して構成されたものを例示したが、貯湯タンク３の構成及びタンク数は、上記各実施形態の構成に限定されるものではない。貯湯タンク３を複数台のタンクを直列に配置することで、タンク内の自然対流等を抑制できるが、例えば、貯湯タンク３として内部に自然対流を抑制する構造体を有する単槽構造のものを利用しても構わない。
【００３６】
〈２〉上記実施形態において例示した本発明システム１の運転制御条件は、一例であり、必ずしも上記実施形態で例示した条件に限定されるものではない。例えば、２次側循環ポンプ６の運転開始及び停止を２次側温度センサ８の検出温度に基づいて制御したが、２次側温度センサ８を設けずに、２次側循環ポンプ６を連続運転させるか、或いは、手動でオンオフするようにしても構わない。この場合、上述のように、給湯循環運転中に１次側温度センサ７の検出温度が所定の上限温度となった場合に、１次側循環ポンプ５の運転を強制的に停止するように制御することで、熱交換器４の２次側入水温度が高く、熱交換器４の１次側において、１次側温水が十分放熱されない状況を、２次側温度センサ８を用いずに検知できる。
【００３７】
更に、上記実施形態では、一例として、貯湯タンク３の貯湯量を使い切るか、或いは、残量が所定量以下になると、ヒートポンプ給湯手段２を作動して給湯を開始して、高温の温水を貯湯タンク３へ貯湯するとしたが、給湯循環運転が停止するごとに、消費された貯湯タンク３の温水を補充するように、ヒートポンプ給湯手段２を作動させても構わない。
【００３８】
〈３〉また、上記実施形態で説明した本発明システム１の構成は、図１に例示した構成に限定されるものではなく、本発明の特許請求の範囲で示される技術的範囲内において適宜変更可能である。従って、図１に例示した管路構成は一例であり、適宜変更可能である。例えば、循環負荷でない通常の給湯負荷に対して給湯するための別の貯湯タンクを別途設けて、ヒートポンプ給湯手段２から給湯するように構成しても構わない。
【００３９】
〈４〉また、上記実施形態において例示したヒートポンプ給湯手段２の圧縮機の定格出力及び加熱能力、貯湯タンク３の総容量、浴槽の容量、本発明システム１の運転制御条件で示した制御温度等の数値は、説明の理解のための例示であり、これらの数値に限定されるものではない。
【００４０】
〈５〉また、上記実施形態において、循環給湯負荷３０として浴槽内の温水の昇温（追い焚き）を想定したが、循環給湯負荷３０はこれに限定されるものではない。
【産業上の利用可能性】
【００４１】
本発明に係る循環給湯システムは、ヒートポンプ式の循環給湯システムに利用でき、ＣＯ２ヒートポンプを用いたヒートポンプ給湯手段と貯湯タンクを備えた給湯システムを利用した循環給湯システムに適用できる。
【図面の簡単な説明】
【００４２】
【図１】本発明に係る循環給湯システムの一実施形態における概略の構成を模式的に示すシステム構成図
【図２】従来のヒートポンプ式の給湯システムにおいて循環給湯運転を実現するための一構成例を模式的に示すシステム構成図
【符号の説明】
【００４３】
１：    本発明に係る循環給湯システム
２：    ヒートポンプ給湯手段
３：    貯湯タンク
３ａ〜３ｆ：  タンク
４：    熱交換器
５：    １次側循環ポンプ
６：    ２次側循環ポンプ
７：    １次側温度センサ
８：    ２次側温度センサ
９：    流量調整弁
１０ａ〜１０ｆ：  温度センサ
１１：  ヒートポンプ給湯手段の出水口
１２：  ヒートポンプ給湯手段の入水口
１３：  貯湯タンクの上部入出水口
１４：  貯湯タンクの下部入出水口
１５：  熱交換器の１次側入水口
１６：  熱交換器の１次側出水口
１７：  熱交換器の２次側出水口
１８：  熱交換器の２次側入水口
２０〜２６：  管路
３０：  循環給湯負荷（浴槽）
３１：  浴槽の入水口
３２：  浴槽の出水口
３３：  補給水
３４：  膨張タンク
５０：  貯湯タンク
５１：  熱交換器
５２：  浴槽
【図１】
2006349227.tif 000003
【図２】
2006349227.tif 000004